(57)【要約】      （修正有）【課題】装置自体の姿勢に基づいて印刷動作を規制することができる印刷装置を提供する。【解決手段】用紙に印刷を行う印刷機構２０と、印刷機構２０による印刷後の用紙を排出する用紙排出口と、を有する印刷装置１であって、装置の姿勢を検出する姿勢検出手段３１、３２と、姿勢検出手段３１、３２による検出結果に基づいて、動作環境を設定する動作環境設定手段と、を備え、動作環境設定手段は、姿勢検出手段３１、３２の検出結果に基づいて、印刷機構２０による印刷動作を禁止する。【選択図】図２
2008168580.tif 000002
【特許請求の範囲】
【請求項１】
用紙に印刷を行う印刷機構と、前記印刷機構による印刷後の前記用紙を排出する用紙排出口と、を有する印刷装置であって、
前記印刷装置の姿勢を検出する姿勢検出手段と、
前記姿勢検出手段による検出結果に基づいて、動作環境を設定する動作環境設定手段と、を備え、
前記動作環境設定手段は、前記姿勢検出手段の検出結果に基づいて、前記用紙排出口を有する面が前記印刷装置の載置面に対して上向きおよび下向きのいずれかとなる姿勢が検出された場合、前記印刷機構による印刷動作を禁止することを特徴とする印刷装置。
【請求項２】
装置電源と、
電池を収容する電池収容部と、
前記電池収容部を覆う蓋体と、を更に備え、
前記動作環境設定手段は、前記姿勢検出手段の検出結果に基づいて、前記蓋体を有する面が前記印刷装置の載置面に対して上向きとなる前記装置姿勢が検出された場合、前記装置電源をＯＦＦすることを特徴とする請求項１に記載の印刷装置。
【請求項３】
各種情報を表示する表示部、を更に備え、
前記動作環境設定手段は、前記姿勢検出手段の検出結果に基づいて、前記表示部に表示される表示内容の前記表示部に対する表示の向きを変更することを特徴とする請求項１または２に記載の印刷装置。
【請求項４】
前記動作環境設定手段は、前記姿勢検出手段の検出結果に基づいて、前記印刷機構により印刷される印刷文字の印刷媒体に対する表記方向を変更することを特徴とする請求項１ないし３のいずれかに記載の印刷装置。
【請求項５】
外部装置と接続するための接続部と、
前記接続部への接続状態を検出する接続検出手段と、を更に備え、
前記動作環境設定手段は、前記姿勢検出手段および前記接続検出手段による検出結果に基づいて、前記動作環境を設定することを特徴とする請求項１ないし４のいずれかに記載の印刷装置。
【請求項６】
前記動作環境設定手段は、前記姿勢検出手段が所定の装置の姿勢を検出し且つ前記接続検出手段が前記外部装置との接続を検出しない場合、前記装置電源をＯＦＦし、前記姿勢検出手段が前記所定の装置の姿勢を検出し且つ前記接続手段が前記外部装置との接続を検出した場合、前記装置電源をＯＮすることを特徴とする請求項５に記載の印刷装置。
【請求項７】
前記姿勢検出手段および前記接続検出手段の少なくとも一方による検出項目に対応して、前記動作環境設定手段により設定される前記動作環境の内容を変更する動作内容変更手段を、更に備えたことを特徴とする請求項６に記載の印刷装置。
【請求項８】
用紙に印刷を行う印刷機構と、前記印刷機構による印刷後の前記用紙を排出する用紙排出口と、を有する印刷装置の動作環境設定方法であって、
前記印刷装置の姿勢を検出する姿勢検出ステップと、
前記姿勢検出ステップによる検出結果に基づいて、動作環境を設定する動作環境設定ステップと、を備え、
前記動作環境設定ステップは、前記用紙排出口を有する面が前記印刷装置の載置面に対して上向きおよび下向きのいずれかとなる姿勢が検出された場合、前記印刷機構による印刷動作を禁止することを特徴とする印刷装置の動作環境設定方法。
【請求項９】
コンピュータに、請求項８に記載の印刷装置の動作環境設定方法における各ステップを実行させるためのプログラム。
【発明の詳細な説明】
【技術分野】
【０００１】
本発明は、装置の姿勢に基づいて動作環境を設定する印刷装置、印刷装置の動作環境設定方法およびプログラムに関するものである。
【背景技術】
【０００２】
従来、印刷ヘッド（記録ヘッド）の姿勢により、印刷動作を制御する情報処理装置が知られている。この情報処理装置では、印刷ヘッドが水平方向から鉛直下方の範囲（記録可能位置）にあるか否かを位置センサによって検出し、その検出結果に基づいて、警告表示や印刷動作の開始／停止を行う。（例えば、特許文献１参照。）これにより、インクジェット方式の記録部を組み込んだ情報処理装置において、印刷（記録）に適さない位置での印字による、印字のかすれやインクがノズルに詰まってしまう問題を回避する。
【特許文献１】特開平０６−０１５９３３号公報
【発明の開示】
【発明が解決しようとする課題】
【０００３】
ところで、テーププリンタ等の小型の印刷装置では、背面を下にし、あるいは側面を下にした起立姿勢で使用することがある。このような装置の姿勢では、印刷ヘッドが印刷可能な姿勢に保たれていても、印刷用紙を排出する用紙排出口が適正な位置に無い（例えば、排出口を塞ぐ様な装置の姿勢が取られている等）場合があり、印刷用紙の排出不良やジャミング等が発生し、正常な印刷成果物を得ることができないだけでなく、装置の故障の原因になるという問題があった。
【０００４】
本発明は、装置自体の姿勢に基づいて印刷動作を規制することができる印刷装置、印刷装置の動作環境設定方法およびプログラムを提供することを目的とする。
【課題を解決するための手段】
【０００５】
本発明の印刷装置は、用紙に印刷を行う印刷機構と、印刷機構による印刷後の用紙を排出する用紙排出口と、を有する印刷装置であって、印刷装置の姿勢を検出する姿勢検出手段と、姿勢検出手段による検出結果に基づいて、動作環境を設定する動作環境設定手段と、を備え、動作環境設定手段は、姿勢検出手段の検出結果に基づいて、用紙排出口を有する面が印刷装置の載置面に対して上向きおよび下向きのいずれかとなる装置姿勢が検出された場合、印刷機構による印刷動作を禁止することを特徴とする。
【０００６】
同様に、本発明の印刷装置の動作環境設定方法は、用紙に印刷を行う印刷機構と、印刷機構による印刷後の用紙を排出する用紙排出口と、を有する印刷装置の動作環境設定方法であって、印刷装置の姿勢を検出する姿勢検出ステップと、姿勢検出ステップによる検出結果に基づいて、動作環境を設定する動作環境設定ステップと、を備え、動作環境設定ステップは、用紙排出口を有する面が印刷装置の載置面に対して上向きおよび下向きのいずれかとなる姿勢が検出された場合、印刷機構による印刷動作を禁止することを特徴とする。
【０００７】
これらの構成によれば、印刷装置自体の姿勢を検出し、その検出結果に基づいて印刷機構による印刷動作を制御することができる。すなわち、用紙排出口が机上に面する等の異常な装置の姿勢が検出された場合の印刷動作を禁止するようにしているため、用紙の排出不良、ジャミングおよび印刷装置の故障を防ぐことができる。
【０００８】
この場合、装置電源と、電池を収容する電池収容部と、電池収容部を覆う蓋体と、を更に備え、動作環境設定手段は、姿勢検出手段の検出結果に基づいて、蓋体を有する面が印刷装置の載置面に対して上向きとなる装置姿勢が検出された場合、装置電源をＯＦＦすることが好ましい。
【０００９】
この構成によれば、電池交換時に自動的に印刷装置の電源をＯＦＦすることができる。これにより、電源を切り忘れた状態での電池交換が行われることがなく、内部メモリ内のデータの誤消去等を防ぐことができる。
【００１０】
これらの場合、各種情報を表示する表示部、を更に備え、動作環境設定手段は、姿勢検出手段の検出結果に基づいて、表示部に表示される表示内容の表示部に対する表示の向きを変更することが好ましい。
【００１１】
この構成によれば、印刷装置の姿勢に基づいて、表示画面の表示内容の向きを変更することができるため、印刷装置の姿勢にかかわらず、ユーザが視覚的に認識しやすい表示をすることができる。
【００１２】
これらの場合、動作環境設定手段は、姿勢検出手段の検出結果に基づいて、印刷機構により印刷される印刷文字の印刷媒体に対する表記方向を変更することが好ましい。
【００１３】
この構成によれば、印刷装置の姿勢に基づいて、印刷文字の表記方向（縦書き印刷および横書き印刷）を変更することができるため、キー操作に代えて、姿勢変更により、所望の表記方向で印刷を行うことができる。なお、例えば、上下反転させた装置姿勢に基づき鏡像印刷を可能としてもよい。
【００１４】
これらの場合、外部装置と接続するための接続部と、接続部への接続状態を検出する接続検出手段と、を更に備え、動作環境設定手段は、姿勢検出手段および接続検出手段による検出結果に基づいて、動作環境を設定することが好ましい。
【００１５】
この構成によれば、ユーザの操作を必要とすることなく、印刷装置の姿勢と外部装置の接続状態の検出結果に応じて、適切な動作環境に設定することができる。
【００１６】
この場合、動作環境設定手段は、姿勢検出手段が所定の装置の姿勢を検出し且つ接続検出手段が外部装置との接続を検出しない場合、装置電源をＯＦＦし、姿勢検出手段が所定の装置の姿勢を検出し且つ接続手段が外部装置との接続を検出した場合、装置電源をＯＮすることが好ましい。
【００１７】
この構成によれば、所定の装置の姿勢において、外部装置との接続／非接続により、ユーザの操作を必要とすることなく、装置電源のＯＮ／ＯＦＦを切り替えることができる。
【００１８】
この場合、姿勢検出手段および接続検出手段の少なくとも一方による検出項目に対応して、動作環境設定手段により設定される動作環境の内容を変更する動作内容変更手段を、更に備えたことが好ましい。
【００１９】
この構成によれば、個々のユーザの使用目的に応じた、動作環境を設定することができる。
【００２０】
本発明のプログラムは、コンピュータに、上記に記載の動作環境設定方法における各ステップを実行させるためのものであることを特徴とする。
【００２１】
この構成によれば、印刷装置の姿勢に基づいて動作環境を設定する動作環境設定方法を実現するためのプログラムを提供することができる。
【発明を実施するための最良の形態】
【００２２】
以下、添付の図面を参照して、本発明の一実施形態に係る印刷装置、印刷装置の動作環境設定方法およびプログラムについて説明する。本発明は、印刷装置自体の姿勢（起立姿勢や裏返姿勢等）を姿勢検出センサにより検出し、その検出結果に基づいて、印刷動作や電源ＯＮ／ＯＦＦ等の制御するものである。
【００２３】
図１は実施形態に係るテープ印刷装置１の模式図である。図１（ａ）に示すように、テープ印刷装置１は、装置ケース３により装置本体２の外殻が構成されている。テープ印刷装置１の前部には、各種キーを備えたキー入力部４が配設されており、後部右上側には、入力された各種情報等を表示するディスプレイ５が配設されている。また、装置ケース３の右側部には、外部装置１２（図３参照）と接続を行うための入出力インターフェース６が形成され、当該入出力インターフェース６に外部装置１２を接続することで、外部装置１２とデータ等の送受信を行う。
【００２４】
装置ケース３左側部には、印刷済みテープＴを排出するテープ排出口７が形成され、テープ排出口７には、テープＴを切断するためのテープカッタ８（図２参照）が臨んでいる。そして、テープカッタ８によってテープＴが切断されることにより、テープ排出口７から印刷済みテープＴが排出される。また、図１（ｂ）に示すように、装置ケース３の底部には、電池９（図２参照）を収容する電池収容部１０が形成されると共に、当該電池収容部１０を覆う蓋体１１が配設されている。
【００２５】
次に、図２を参照し、テープ印刷装置１の制御構成について説明する。テープ印刷装置１は、キー入力部４およびディスプレイ５を有し、ユーザによる文字情報の入力や各種情報の表示等を司る操作部１５と、印刷ヘッド２１およびテープ送りモータ２２を有し、印刷データに基づいてテープＴに印刷を行う印刷部２０と、テープカッタ８およびカッタモータ２７を有し、印刷済みテープＴを所定の長さとなるように切断する切断部２５と、水平センサ３１および垂直センサ３２を有し、テープ印刷装置１自体の姿勢を検出する検出部３０と、外部装置１２と接続する入出力インターフェース６を有し、外部装置１２とデータの送受信を行う入出力部３５と、電池９および電源スイッチ４１を有し、各部に電源を供給する電源部４０と、ディスプレイドライバ４６、ヘッドドライバ４７、テープ送りドライバ４８およびカッタモータドライバ４９を有し、各部を駆動する駆動部４５と、これらの各部に接続され、テープ印刷装置１全体の制御を行う制御部５０と、によって構成されている。
【００２６】
操作部１５は、ユーザによる文字情報の入力や、動作環境内容を変更する動作環境内容変更手段により、個々のユーザの使用目的に応じて各種設定環境の変更を行う。また、各種動作設定内容の表示を行うと共に、制御部５０の指示により、装置自体の姿勢に応じてディスプレイ５の表示内容の向きを変更して表示する。
【００２７】
印刷部２０は、印刷データに基づいて印刷ヘッド２１およびテープ送りモータ２２を駆動することで、テープＴに印刷を行うと共にテープ送り経路（図示省略）に沿ってテープＴをテープ排出口７に送出する。また、検出部３０により検出されたテープ印刷装置１自体の姿勢に基づいて、印刷文字の表記方向（縦書きおよび横書き）を変更する。切断部２５は、カッタモータ２７を駆動することでテープカッタ８を動作させ、テープ排出口７に送り出された印刷済みテープＴを所定の長さとなるように切断する。
【００２８】
検出部３０は、水平センサ３１および垂直センサ３２により、テープ印刷装置１の水平方向および垂直方向の傾きを検出し（姿勢検出手段）、当該検出結果に基づいて、テープ印刷装置１自体の姿勢情報を検出する（例えば、起立姿勢や裏返姿勢等）。また、入出力インターフェース６の接続状態に基づいて外部装置１２との接続／非接続を検出する（接続検出手段）。なお、装置の姿勢は、キー入力部４およびディスプレイ５を有する面を上面とした場合の姿勢を「通常姿勢」（図３（ａ）参照）とし、この「通常姿勢」から装置を起立させた姿勢（上下反転させて起立させた姿勢を含む）を「起立姿勢」（図３（ｂ）参照）、「通常姿勢」にある装置を裏返した姿勢を「裏返姿勢」（図３（ｃ）参照）、「起立姿勢」から９０度傾けられ、テープ排出口７が上方向または下方向に位置する姿勢を「横倒姿勢」（図３（ｄ）参照）とする。
【００２９】
入出力部３５は、入出力インターフェース６と外部装置１２とを接続ケーブル１３で接続し、外部装置１２から文字情報および印刷指示等のデータ送受信を行う。電源部４０は、各部に電源を供給すると共に、動作環境設定手段により設定された動作環境に基づいて、制御部５０の指示によりテープ印刷装置１の電源ＯＮ／ＯＦＦを切り替える。
【００３０】
制御部５０は、ＣＰＵ６０、ＲＯＭ７０、ＲＡＭ８０、入出力制御装置９０（以下、「ＩＯＣ：Input Output Controller」と称する）を備えており、これらは互いに内部バス１００により接続されている。ＲＯＭ７０は、印刷処理等の各種処理をＣＰＵ６０で制御するための制御プログラムを記憶する制御プログラムブロック７１と、装置の姿勢に関する姿勢制御プログラムを記憶する姿勢制御プログラムブロック７２と、動作環境設定手段により設定された動作環境を記憶する動作環境データブロック７３と、を有している。
【００３１】
ＲＡＭ８０は、フラグ等として使用される各種ワークエリアブロック８１と、水平センサ３１および垂直センサ３２によって検出される装置の姿勢情報を保存する姿勢情報ブロック８２と、外部装置１２との接続状態を保存する接続情報ブロック８３と、を有し、制御処理のための作業領域として使用される。
【００３２】
そして、ＣＰＵ６０は、上記の構成によりＲＯＭ７０内の制御プログラムにしたがって、ＩＯＣ９０を介してテープ印刷装置１内の各部から各種信号・データを入力する。また、設定された動作環境および入力された各種信号・データに基づいてＲＡＭ８０内の各種データを処理し、ＩＯＣ９０を介してテープ印刷装置１内の各部に各種信号・データを出力する。このように、制御部５０によりテープ印刷装置１の各部が制御され、テープ印刷装置１全体が制御されるようになっている。
【００３３】
例えば、ユーザにより装置の姿勢の変更や外部装置１２との接続／非接続が行われると、ＲＡＭ８０内の姿勢情報ブロック８２には、基準となる通常姿勢に対しての現在の装置の傾き等の姿勢に関する情報が保存され、接続情報ブロック８３には、外部装置１２との接続／非接続に関する接続情報が保存される。ＣＰＵ６０は、姿勢制御プログラムにより姿勢情報ブロック８２に記憶されている情報を処理し、装置の姿勢を確定する。そして、ＣＰＵ６０は、確定した装置の姿勢、ＲＯＭ７０内の動作環境データブロック７３に記憶されている設定情報、および接続情報ブロック８３に記憶されている接続情報に基づいて、電源部４０を制御することで装置電源のＯＮ／ＯＦＦ制御を行ったり、印刷データの文字表記方向（縦書き／横書き）の変更を行う。また、確定した装置の姿勢に基づいて印刷動作の許可／禁止を制御し、装置の姿勢が前述の「横倒姿勢」の場合は、印刷ヘッド２１の駆動およびテープ送りモータ２２の駆動を停止することで、印刷を禁止（中断）する。
【００３４】
次に、図３を参照して、テープ印刷装置１の姿勢による動作状態について説明する。図３は、動作環境設定を初期設定（デフォルト設定）にした場合の装置の姿勢による動作状況の一例を示したものである。動作環境の設定項目は、装置の姿勢に基づく電源のＯＮ／ＯＦＦ状態を設定する姿勢動作設定と、外部装置１２を接続した時の装置の姿勢に基づく電源のＯＮ／ＯＦＦ状態を設定する接続時設定とがある。図３（ａ）は、装置が「通常姿勢」状態で且つ外部装置１２と非接続の場合を示している。この場合、姿勢動作設定の設定内容に基づいて、テープ印刷装置１の電源はＯＮ状態となり、印刷可能な状態で動作する。また、ディスプレイ５の表示内容は横向き（横書き表記）に表示される。
【００３５】
図３（ｂ）は、図３（ａ）のテープ印刷装置１を起立させた「起立姿勢」を示す。この場合、姿勢動作設定で「起立姿勢：電源ＯＦＦ」と設定されているため、テープ印刷装置１の電源は、自動的に電源ＯＦＦ状態になる。図３（ｃ）は、図３（ａ）のテープ印刷装置１を裏返しにした「裏返姿勢」を示している。この場合も、姿勢動作設定で「裏返姿勢：電源ＯＦＦ」と設定されているため、図３（ｂ）と同様に自動的に電源ＯＦＦ状態となる。図３（ｄ）は、図３（ａ）のテープ印刷装置１を「起立姿勢」から９０度傾けた「横倒姿勢」を示している。この場合、姿勢動作設定で「横倒姿勢：電源ＯＮ」と設定されているため、テープ印刷装置１の電源はＯＮ状態となるが、テープＴを排出するためのテープ排出口７が塞がれてしまうため、ＣＰＵ６０は、印刷動作を禁止するように制御する。また、ディスプレイ５の表示内容は横向き（横書き表記）に表示される。
【００３６】
図３（ｅ）は、「起立姿勢」のテープ印刷装置１に外部装置１２を接続したことを示す。この場合、接続時設定で設定されている「起立姿勢：電源ＯＮ」が有効となり、外部装置１２が接続されると自動的にテープ印刷装置１の電源がＯＮ状態となる。つまり、動作環境設定においては、姿勢動作設定では「起立姿勢：電源ＯＦＦ」と設定され、接続時設定では「起立姿勢：電源ＯＮ」と設定されるような、同一姿勢に対する電源の状態が異なる場合、接続時設定の内容を優先して反映する。
【００３７】
なお、本実施形態では、ＣＰＵ６０が装置の姿勢に基づく印刷動作の許可／禁止を自動的に制御しているが、設定画面等を設け、ユーザが装置の姿勢に基づく印刷動作の許可／禁止の設定を、選択設定するようにしてもよい。
【００３８】
次に、図４を参照して、テープ印刷装置１の姿勢に伴う動作環境の変更設定方法について説明する。まず、姿勢動作設定の設定手順について説明する。ユーザにより、キー入力部４の「動作環境キー」が押下されると、動作環境画面を表示する（Ｄ０１）。この状態（Ｄ０１）で「姿勢動作設定」が選択されると、姿勢動作設定画面を表示する。ここでは、現在設定されている姿勢動作設定の内容（各姿勢に対応する電源の状態）を表示する（Ｄ０２）。
【００３９】
この状態（Ｄ０２）で、ユーザにより「決定キー（選択改行キー）」が押下されると通常姿勢画面に遷移し、テープ印刷装置１の通常姿勢の電源状態を選択可能にする（Ｄ０３）。次に、「上下キー（左右キー）」により「電源ＯＦＦ」が選択され、「決定キー」が押下されると、「通常姿勢：電源ＯＦＦ」に設定を変更し、起立姿勢画面に遷移する（Ｄ０４）。以降、同様に、「起立姿勢」（Ｄ０４）、「裏返姿勢」（Ｄ０５）および「横倒姿勢」（Ｄ０６）の電源状態を設定する。そして、「横倒姿勢」の設定を終えると設定を完了し、新たに設定した情報を画面表示する（Ｄ０７）。
【００４０】
次に、図５を参照して、接続時設定について説明する。まず、ユーザにより、キー入力部４の「動作環境キー」が押下されると、動作環境画面を表示する（Ｄ１１）。この状態（Ｄ１１）で「上下キー」が押下され「接続時設定」が選択されると、接続時設定画面を表示する。ここでは、現在設定されている外部装置接続時の接続時設定の内容（外部装置接続時の各姿勢に対応する電源の状態）を表示する（Ｄ１２）。
【００４１】
この状態（Ｄ１２）で、ユーザにより「決定キー」が押下されると、接続時（通常姿勢）画面に遷移し、テープ印刷装置１の通常姿勢の電源状態を選択可能にする（Ｄ１３）。次に、「上下キー」により「ＯＮしない（キーでＯＮ）」が選択され、「決定キー」が押下されると、「通常姿勢：ＯＮしない」と設定を変更し、接続時（起立姿勢）画面に遷移する（Ｄ１４）。この「通常姿勢：ＯＮしない」に設定した場合、テープ印刷装置１が通常姿勢で且つ電源がＯＮの場合は、テープ印刷装置１の電源はＯＮのまま保持する。一方、テープ印刷装置１が通常姿勢で且つ電源がＯＦＦの場合は、ユーザによりテープ印刷装置１の「電源キー」が押下されるまで、テープ印刷装置１の電源はＯＦＦのまま保持する。以降、同様に、「接続時（起立姿勢）」（Ｄ１４）、「接続時（裏返姿勢）」（Ｄ１５）および「接続時（横倒姿勢）」（Ｄ１６）の電源状態を設定する。そして、「接続時（横倒姿勢）」の設定を終えると設定を完了し、新たに設定した情報を画面表示する（Ｄ１７）。
【００４２】
なお、接続時設定を行う場合、テープ印刷装置１の姿勢に関係なく、外部装置１２の接続検出結果のみに基づいて、「電源ＯＮ」または「ＯＮしない（キーでＯＮ）」を選択設定するようにしてもよい。
【００４３】
次に、図６を参照して、テープ印刷装置１の姿勢による印刷文字の表記方向について説明する。図６は、動作環境設定の印刷文字の表記方向設定を初期設定（デフォルト設定）にした場合の装置の姿勢による動作状況を示したものである。図６（ａ）は、装置が「通常姿勢」で横書き印刷をする場合を示している。図６（ｂ）は、装置が「起立姿勢」で縦書き印刷をする場合を示している。また、図６（ｃ）は、装置が「裏返姿勢」で横書き印刷をする場合を示している。これら装置の姿勢に基づいた印刷文字の表記方向は、図７に示す印刷方向設定画面で、ユーザにより選択設定される。なお、図６中の矢印は、テープＴの排出方向を示している。
【００４４】
次に、図７を参照して、テープ印刷装置１の姿勢による印刷文字の表記方向の設定方法について説明する。まず、ユーザにより、キー入力部４の「動作環境キー」が押下されると、動作環境画面を表示する（Ｄ２１）。この状態（Ｄ２１）で「上下キー」が押下され「印刷方向設定」が選択されると、印刷方向設定画面を表示する。ここでは、現在設定されている装置の姿勢に対応した文字の印刷方向を表示する（Ｄ２２）。
【００４５】
この状態（Ｄ２２）で、ユーザにより「決定キー」が押下されると、通常姿勢画面に遷移し、テープ印刷装置１が通常姿勢にある場合の印刷文字の表記方向を選択可能にする（Ｄ２３）。次に、「上下キー」により「縦書き」が選択され、「決定キー」が押下されると、「通常姿勢：縦書き」と設定を変更し、起立姿勢画面に遷移する（Ｄ２４）。以降、同様に、「起立姿勢」（Ｄ２４）、「裏返姿勢」（Ｄ２５）の印刷文字の表記方向を設定する。そして、「裏返姿勢」の設定を終えると設定を完了し、新たに設定した情報を画面表示する（Ｄ２６）。
【００４６】
なお、テープＴに文字を印刷する際の表記方向として、テープ印刷装置１を上下反転させた姿勢に基づき、鏡像印刷としてもよい。
【００４７】
以上のように、本実施形態によれば、テープ印刷装置１自体の姿勢を検出し、その検出結果に基づいて印刷動作を制御することができる。これにより、テープ排出口７が机上に面する等の異常な姿勢が検出された場合の印刷動作を禁止することができ、テープＴの排出不良、ジャミングおよびテープ印刷装置１の故障を防ぐことができる。
【００４８】
また、装置の姿勢および外部装置１２との接続状態の少なくとも一方により装置電源のＯＮ／ＯＦＦの切り替えが設定できるため、個々のユーザの使用目的に応じた動作環境を設定することができる。このため、例えば、裏返姿勢の場合は電源をＯＦＦにする設定をすることで、電池交換等で装置を裏返しにした時に、自動的にテープ印刷装置１の電源がＯＦＦになり、電源を切り忘れた状態での電池交換が行われることがなく、内部メモリ内のデータの誤消去等を防ぐことができる。
【００４９】
また、上述した実施例に示した、テープ印刷装置１の各部（各機能）をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００５０】
また、上述した実施例によらず、テープ印刷装置１の構成や処理工程等について、本発明の要旨を逸脱しない範囲で、適宜変更も可能である。
【図面の簡単な説明】
【００５１】
【図１】実施形態に係るテープ印刷装置の通常姿勢の模式図（ａ）および裏返姿勢の模式図（ｂ）である。
【図２】テープ印刷装置の制御ブロック図である。
【図３】（ａ）〜（ｅ）は、テープ印刷装置の姿勢に基づく動作状態を説明する図である。
【図４】テープ印刷装置の姿勢に基づく動作環境設定の設定手順を説明する図である。
【図５】テープ印刷装置の姿勢および外部装置との接続状態に基づく、動作環境設定の設定手順を説明する図である。
【図６】（ａ）〜（ｃ）は、テープ印刷装置の姿勢に基づく印刷文字の表記方向を説明する図である。
【図７】テープ印刷装置の姿勢に基づく印刷文字の表記方向の設定手順を説明する図である。
【符号の説明】
【００５２】
１…テープ印刷装置  ５…ディスプレイ  ６…入出力インターフェース  ７…テープ排出口  ９…電池  １０…電池収容部  １１…蓋体  ２０…印刷部  ３１…水平センサ  ３２…垂直センサ  Ｔ…テープ
【図１】
2008168580.tif 000003
【図２】
2008168580.tif 000004
【図３】
2008168580.tif 000005
【図４】
2008168580.tif 000006
【図５】
2008168580.tif 000007
【図６】
2008168580.tif 000008
【図７】
2008168580.tif 000009